(57)【要約】      （修正有）【課題】メイン眼鏡の前方に安定的に係着することができる前掛けレンズの係着構造を提供する。【解決手段】メイン眼鏡１０と、少なくとも１つの磁気ベース２０と、前掛けレンズ３０とを備える。磁気ベースは、メイン眼鏡に着脱可能に結合されかつ第１の磁石２２を有する。前掛けレンズは、レンズ３１と、レンズに結合された支持装置４０と、少なくとも１つの磁気吸引部材５０とを備える。支持装置は、２つの支持部４２と、２つの支持部の間に結合されたシャフト及び回転シリンダーと、を備え、２つの支持部はメイン眼鏡に結合される。回転シリンダーはシャフトの外部に回動可能に嵌合されレンズに結合されることで、レンズは支持装置に対して枢転可能となる。磁気吸引部材は、支持装置に結合されかつ磁気ベースの第１の磁石と結合される第２の磁石５１を有する。【選択図】図１
0003220618.tif 000002
【実用新案登録請求の範囲】
【請求項１】
眼鏡枠を含むメイン眼鏡と、
該眼鏡枠に結合されかつ少なくとも第１の磁石が設けられた少なくとも１つの磁気ベースと、
レンズと、該レンズに結合された支持装置及び少なくとも１つの磁気吸引部材とを含む前掛けレンズと、を備え、
該支持装置は、２つの支持部と、該２つの支持部の間に結合されたシャフト及び回転シリンダーとを含み、該２つの支持部は該眼鏡枠に結合され、該回転シリンダーは該シャフト外部に回動可能に嵌合されかつ該レンズに結合されることで、該レンズは該支持装置に対して枢転可能であり、該磁気吸引部材は、該支持装置に結合されかつ磁気ベースに対向し、該磁気吸引部材には該磁気ベースの第１の磁石に結合される少なくとも１つの第２の磁石が設けられていることを特徴とする前掛けレンズの係着構造。
【請求項２】
該シャフトには少なくとも位置付け部が設けられ、該位置付け部の内端には第１のティースが設けられ、該回転シリンダーの一端には該第１のティースと歯合される第２のティースが設けられることで、該レンズが該支持装置に対して回動した場合には該第１、第２のティースの歯合により位置付け可能であることを特徴とする請求項１に記載の前掛けレンズの係着構造。
【請求項３】
該眼鏡枠は中梁を有する上部を含み、該磁気ベースの頂端には、該中梁に着脱可能に結合された係止部が設けられていることを特徴とする請求項１または２に記載の前掛けレンズの係着構造。
【請求項４】
該シャフトには離間した２つの位置付け部が設けられ、該回転シリンダーは該２つの位置付け部の間に位置し、該磁気吸引部材の頂部には、該２つの位置付け部の底部に結合される２つの接続脚が設けられていることを特徴とする請求項３に記載の前掛けレンズの係着構造。
【請求項５】
該眼鏡枠は２つの側辺を有する上部を含み、該少なくとも１つの磁気ベースには２つの磁気ベースが設けられ、各磁気ベースの頂端には係止部が設けられ、各磁気ベースの係止部は、該上部の一方の側辺に着脱可能に結合されており、該少なくとも１つの磁気吸引部材は、該２つの支持部の外端にそれぞれ設けられた２つの磁気吸引部材を含むことを特徴とする請求項１または２に記載の前掛けレンズの係着構造。
【請求項６】
各支持部の底部には、該眼鏡枠に着脱可能に結合された結合溝が設けられていることを特徴とする請求項１または２に記載の前掛けレンズの係着構造。 
【考案の詳細な説明】
【技術分野】
【０００１】
本考案は、引き上げ型前掛けレンズの係着構造に関し、特にメイン眼鏡枠に係着可能な引き上げ型前掛けレンズに関するものである。
【背景技術】
【０００２】
前掛けレンズは、一般の眼鏡の前方に係着可能であり、眼鏡機能の不十分さを補完するためのものである。一般の眼鏡は、主としてユーザの視力の改善、目の保護、または装飾のために用いられる。眼鏡の視野は光が明るく通ることが求められるため、光線が強烈で、光がまぶしいアウトドア活動の場合には、サングラスを別途掛ける必要がある。しかしながら、複数の眼鏡を携行することが面倒くさいので、メイン眼鏡と係着レンズとが統合された前掛けレンズが提案されている。
【０００３】
前掛けレンズは、一般的には、メイン眼鏡と前掛けレンズとからなる。前掛けレンズは、メイン眼鏡に備わっていない機能を有する。ユーザは、他のメイン眼鏡を掛けることなく、必要に応じて前掛けレンズを自由にメイン眼鏡の前方に係着したり取り外したりことができる。ただし、使用過程において前掛けレンズを頻繁に取り外して係着する必要があるため、前掛けレンズを繰り返して係着する操作には使用上の不便がある。
【考案の概要】
【考案が解決しようとする課題】
【０００４】
そこで、本考案は、前掛けレンズの係着構造であって、その前掛けレンズを簡単にメイン眼鏡に係着することができ、前掛けレンズを必要としない場合には、前掛けレンズを取り外すことなく、必要に応じてレンズのメイン眼鏡に対する角度を自由に変換することができ、使用利便性を向上可能な前掛けレンズの係着構造を提供することを目的とする。
【課題を解決するための手段】
【０００５】
本考案に係る前掛けレンズの係着構造は、メイン眼鏡と、少なくとも１つの磁気ベースと、前掛けレンズとを備える。メイン眼鏡は、眼鏡枠を備える。該磁気ベースは、眼鏡枠に結合されかつ第１の磁石が設けられている。該前掛けレンズは、レンズと、レンズに結合された支持装置と、少なくとも１つの磁気吸引部材とを備える。該支持装置は、２つの支持部と、該２つの支持部の間に結合されたシャフト及び回転シリンダーと、を備え、該２つの支持部は眼鏡枠に結合され、該回転シリンダーはシャフトの外部に回動可能に嵌合されかつレンズに結合されることで、該レンズは支持装置に対して枢転可能である。該磁気吸引部材は、支持装置に結合されかつ磁気ベースに対向する。該磁気吸引部材には、磁気ベースの第１の磁石と結合される第２の磁石が設けられている。
【考案の効果】
【０００６】
本考案に係る前掛けレンズの係着構造によれば、前掛けレンズを簡単に一般のメイン眼鏡に係着することができ、メイン眼鏡は前掛けレンズの補助として機能するのみならず、前掛けレンズは必要に応じてレンズのメイン眼鏡に対する角度を自由に変換することができるため、使用の利便性を向上することができる。
【図面の簡単な説明】
【０００７】
【図１】本考案に係る好ましい実施例の分解模式図である。
【図２】図１に示す前掛けレンズの局所断面模式図である。
【図３】図２に示す支持装置の局所拡大模式図である。
【図４】図１に示す実施例の組み合わせ状態模式図である。
【図５】図４に示すレンズがメイン眼鏡に対して引き上げられた模式図である。
【図６】本考案に係る他の実施例の分解模式図である。
【図７】図６に示す実施例の組み合わせ状態模式図である。
【考案を実施するための形態】
【０００８】
図１ないし図４は、本考案に係る第１の実施例の前掛けレンズの係着構造を示す。その前掛けレンズの係着構造は、メイン眼鏡１０と、磁気ベース２０と、前掛けレンズ３０とを備える。メイン眼鏡１０は、上部１２を含む眼鏡枠１１を備え、上部１２は、２つの側辺１３と中央に位置する中梁１４とを有する。磁気ベース２０は、眼鏡枠１１に着脱可能に結合されている。この実施例において、磁気ベース２０の頂端には、眼鏡枠１１の中梁１４に着脱可能に結合された係止部２１が設けられている。磁気ベース２０の一方の側面には、少なくとも１つの第１の磁石２２が設けられている。この実施例において、磁気ベース２０には、前掛けレンズ３０を結合するための離間した２つの第１の磁石２２が設けられている。
【０００９】
前掛けレンズ３０は、レンズ３１と、レンズ３１に結合された支持装置４０と、磁気吸引部材５０とを備える。レンズ３１は、遮光、偏光または老眼鏡等の機能を有するレンズであってもよい。支持装置４０は、２つの支持部４２と、該２つの支持部４２の間に結合されたシャフト４１１及び回転シリンダー４１２とを備える。該２つの支持部４２は、眼鏡枠１１に着脱可能に結合されている。各支持部４２の底部には、眼鏡枠１１の上部１４に結合される結合溝４２１が設けられている。シャフト４１１には、少なくとも１つの位置付け部４１４が設けられている。この実施例において、シャフト４１１には、離間した２つの位置付け部４１４が設けられている。各位置付け部４１４は円筒であり、少なくとも１つの位置付け部４１４の内端には、第１のティース４１５が設けられている。
【００１０】
回転シリンダー４１２は、シャフト４１１の外部に回動可能に嵌合されており、回転シリンダー４１２には、レンズ３１と結合するレンズベース４１３が設けられている。これにより、レンズ３１は、支持装置４０のシャフト４１１に対して枢転可能であり、角度の変更が可能となる。この実施例において、レンズベース４１３は、レンズ３１の上端縁３１１の中央位置に結合されている。回転シリンダー４１２は、該２つの位置付け部４１４の間に位置し、回転シリンダー４１２の少なくとも一端には、第１のティース４１５と歯合される第２のティース４１６が設けられている。これにより、レンズ３１が支持装置４０に対して回動した場合には、第１、第２のティース４１５、４１６の歯合により、多段階角度の位置付けとして機能することができる。
【００１１】
磁気吸引部材５０は、支持装置４０に結合されている。支持部４２が眼鏡枠１１に結合された場合は、磁気吸引部材５０が磁気ベース２０に対向している。磁気吸引部材５０には、該２つの第１の磁石２２と磁気的に結合される２つの第２の磁石５１が設けられている。さらに、磁気吸引部材５０の頂部には、該位置付け部４１４の底部に結合される２つの接続脚５２が設けられている。
【００１２】
実施の場合、前掛けレンズ３０は、眼鏡枠１１の前方に係着することができる（図４参照）。このように、レンズ３１は前掛けレンズ３０の真前方に位置し、例えば遮光、偏光または老眼鏡等の補助機能を有する。さらに、支持部４２が眼鏡枠１１に結合され、磁気吸引部材５０が磁気ベース２０に結合されることにより、前掛けレンズ３０は、メイン眼鏡１０に安定的に結合可能となる。一方、レンズ３１の機能を必要としない場合、レンズ３１を支持装置４０に対して枢転して上方へ引き上げることができ、所要の角度に位置付けすることができる（図５参照）。また、レンズ３１の機能を改めて使用する場合、レンズ３１を支持装置４０に対して下方へ枢転することができる。このように、レンズ３１は、前掛けレンズ３０の真前方に位置付けされる（図４参照）。このため、ユーザは、必要に応じてレンズ３１のメイン眼鏡１０に対する位置を自由に変更することができ、前掛けレンズ３０を有する補助機能を奏することができ、レンズ３１の機能を必要としない場合は、レンズ３１を取り外す必要はないため、使用の利便性を有する。
【００１３】
図６ないし図７は、本考案に係る第２の実施例の前掛けレンズの係着構造を示す。第１の実施例の構造とはほぼ同様であるが、第２の実施例において、２つの磁気ベース２０と、２つの磁気吸引部材５０とが含まれている。各磁気ベース２０は、眼鏡枠１１の上部１２のいずれか一方の側辺１３に着脱可能に結合されている。また、該２つの磁気吸引部材５０は、該２つの支持部４２の外端にそれぞれ設けられている。該２つの支持部４２が眼鏡枠１１に結合されている場合、該２つの磁気吸引部材５０は、該２つの磁気ベース２０にそれぞれ対向し、各磁気吸引部材５０には、磁気ベース２０に対応する第１の磁石２２と結合される第２の磁石５１が設けられている。
【００１４】
支持部４２の結合と磁石の磁気吸引とにより、本考案に係る前掛けレンズ３０は、一般のメイン眼鏡１０に簡単に係着することができ、メイン眼鏡１０は、前掛けレンズ３０の補助機能を奏することができる。さらに、レンズ３１のメイン眼鏡１０に対する角度を自由に変換することができ、使用上の利便性がある。
【００１５】
上記のように、これらの実施の形態は本考案の好ましい実施例のみであり、本考案の特許請求の範囲に基づいてなされる等価の変更や修飾は、本考案の技術範囲に入るものである。
【００１６】
以上のように、本考案では、眼鏡枠を含むメイン眼鏡と、該眼鏡枠に結合されかつ少なくとも第１の磁石が設けられた少なくとも１つの磁気ベースと、レンズと、該レンズに結合された支持装置及び少なくとも１つの磁気吸引部材とを含む前掛けレンズと、を備え、該支持装置は、２つの支持部と、該２つの支持部の間に結合されたシャフト及び回転シリンダーとを含み、該２つの支持部は該眼鏡枠に結合され、該回転シリンダーは該シャフト外部に回動可能に嵌合されかつ該レンズに結合されることで、該レンズは該支持装置に対して枢転可能であり、該磁気吸引部材は、該支持装置に結合されかつ磁気ベースに対向し、該磁気吸引部材には該磁気ベースの第１の磁石に結合される少なくとも１つの第２の磁石が設けられていることを特徴とする前掛けレンズの係着構造とするものである。
【００１７】
また、該シャフトには少なくとも位置付け部が設けられ、該位置付け部の内端には第１のティースが設けられ、該回転シリンダーの一端には該第１のティースと歯合される第２のティースが設けられることで、該レンズが該支持装置に対して回動した場合には該第１、第２のティースの歯合により位置付け可能であるものとする。
【００１８】
また、該眼鏡枠は中梁を有する上部を含み、該磁気ベースの頂端には、該中梁に着脱可能に結合された係止部が設けられているものとする。
【００１９】
また、該シャフトには離間した２つの位置付け部が設けられ、該回転シリンダーは該２つの位置付け部の間に位置し、該磁気吸引部材の頂部には、該２つの位置付け部の底部に結合される２つの接続脚が設けられているものとする。
【００２０】
また、該眼鏡枠は２つの側辺を有する上部を含み、該少なくとも１つの磁気ベースには２つの磁気ベースが設けられ、各磁気ベースの頂端には係止部が設けられ、各磁気ベースの係止部は、該上部の一方の側辺に着脱可能に結合されており、該少なくとも１つの磁気吸引部材は、該２つの支持部の外端にそれぞれ設けられた２つの磁気吸引部材を含むものとする。
【００２１】
また、各支持部の底部には、該眼鏡枠に着脱可能に結合された結合溝が設けられているものとする。
【産業上の利用可能性】
【００２２】
本考案に係る前掛けレンズの係着構造によれば、前掛けレンズを簡単に一般のメイン眼鏡に係着することができ、メイン眼鏡は前掛けレンズの補助として機能するのみならず、前掛けレンズは必要に応じてレンズのメイン眼鏡に対する角度を自由に変換することができるため、使用の利便性を向上することができる。
【符号の説明】
【００２３】
１０  メイン眼鏡
１１  眼鏡枠
１２  上部
１３  側辺
１４  中梁
２０  磁気ベース
２１  係止部
２２  第１の磁石
３０  前掛けレンズ
３１  レンズ
３１１  上端縁
４０  支持装置
４１１  シャフト
４１２  回転シリンダー
４１３  レンズベース
４１４  位置付け部
４１５  第１のティース
４１６  第２のティース
４２  支持部
４２１  結合溝
５０  磁気吸引部材
５１  第２の磁石
５２  接続脚 
【図１】
0003220618.tif 000003
【図２】
0003220618.tif 000004
【図３】
0003220618.tif 000005
【図４】
0003220618.tif 000006
【図５】
0003220618.tif 000007
【図６】
0003220618.tif 000008
【図７】
0003220618.tif 000009